(57)【要約】  少なくとも１つの単色発光パネルと、当該単色発光パネルに並置された少なくとも１つの多色発光パネルと、を含む発光面を有する面発光装置。
2014013586.tif 000002
【特許請求の範囲】
【請求項１】
単色エリアと前記単色エリアと並んで配置された多色エリアとからなる発光面を含み、前記単色エリアは複数の単色発光パネルによって形成され、前記多色エリアは複数の多色発光パネルによって形成されていることを特徴とする面発光装置。
【請求項２】
前記多色エリアは所定のパターンを示していることを特徴とする請求項１記載の面発光装置。  
【請求項３】
前記所定のパターンは市松模様のパターンであることを特徴とする請求項２記載の面発光装置。
【請求項４】
前記所定のパターンはストライプパターンであることを特徴とする請求項２記載の面発光装置。
【請求項５】
前記所定のパターンは前記発光面中央に位置した長方形状のパターンであることを特徴とする請求項２記載の面発光装置。
【請求項６】
前記単色発光パネル及び前記多色発光パネルは同一形状であることを特徴とする請求項３〜５のいずれか１記載の面発光装置。
【請求項７】
前記単色発光パネル及び前記多色発光パネルは矩形状であることを特徴とする請求項６記載の面発光装置。
【請求項８】
前記単色発光パネルは前記多色発光パネルの整数倍の大きさのパネルを含むことを特徴とする請求項４又は５記載の面発光装置。
【請求項９】
前記単色発光パネルを駆動する第１駆動回路と、前記多色発光パネルを駆動する第２駆動回路と、を含む駆動制御系を更に有することを特徴とする請求項２記載の面発光装置。
【請求項１０】
前記多色発光パネルはＲＧＢ（赤緑青）各々の発光素子を有し、
前記第２駆動回路は前記ＲＧＢ各々の発光素子を駆動する３つの駆動回路からなることを特徴とする請求項９記載の面発光装置。
【請求項１１】
前記駆動制御系は、前記第１駆動回路及び前記第２駆動回路の前記３つの駆動回路を制御データ又は入力操作に応じて個別に制御する制御回路を更に有することを特徴とする請求項１０記載の面発光装置。
【請求項１２】
前記制御回路は、前記制御データに応じて前記第１駆動回路及び前記第２駆動回路の前記３つの駆動回路を介して前記発光面に有意の２次元指示を生じさせることを特徴とする請求項１１記載の面発光装置。
【請求項１３】
前記駆動制御系は、交流電源の出力電圧を直流電圧に変換して前記第１駆動回路及び前記第２駆動回路による前記単色発光パネル及び前記多色発光パネルの駆動電源とするコンバータと、
前記交流電源の停電を検出する停電検出回路と、
前記停電検出回路によって前記交流電源の停電が検出されたとき蓄電池を前記駆動電源とする電源切替回路と、を更に含むことを特徴とする請求項１２記載の面発光装置。
【請求項１４】
前記制御回路は前記停電検出回路によって前記交流電源の停電が検出されたとき前記第１駆動回路及び前記第２駆動回路の前記３つの駆動回路を制御して前記発光面の前記有意の２次元指示以外の輝度を低下させることを特徴とする請求項１３記載の面発光装置。
【請求項１５】
前記単色発光パネルの発光素子及び前記ＲＧＢ各々の発光素子は有機ＥＬ素子からなることを特徴とする請求項２〜１４のいずれか１記載の面発光装置。
【請求項１６】
前記単色エリアは白色エリアであり、前記単色発光パネルは白発光パネルであることを特徴とする請求項１５記載の面発光装置。
【請求項１７】
前記制御回路は、前記単色発光パネルと前記多色発光パネルとの間の単色発光時の相関を予め記憶したメモリからデータを入手し、単色発光時に両者の各種斑が生じないように制御することを特徴とする請求項１６記載の面発光装置。
【発明の詳細な説明】
【技術分野】
【０００１】
本発明は、面発光する面発光装置に関する。
【背景技術】
【０００２】
発光源として有機ＥＬパネルを用いた発光装置が提案されている。有機ＥＬパネルを用いた発光装置には、面発光で形状に制約がないという特徴があり、そのような特徴はＬＥＤ（発光ダイオード）発光装置等の他の発光装置では得られないので、今後の実用化に向けた更なる開発が期待されている。【０００３】
一般に、面発光装置の発光源としての有機ＥＬパネルは、透明基板上に形成されたＩＴＯ等の透明導電膜からなる陽極と、Ａｌ等の金属からなる陰極と、陽極と陰極との間に挟まれた有機多層構造の有機発光機能層とを有している（特許文献１）。有機発光機能層は有機材料からなり、陽極側から順に例えば、ホール注入・輸送層、発光層、電子輸送層、及び電子注入層の積層からなり、例えば、真空蒸着法又はインクジェット法を用いて積層形成することができる。このような有機ＥＬパネルは、発光面全体で高輝度が得られるようにストライプ状に有機発光機能層を形成している。
【先行技術文献】
【特許文献】
【０００４】
【特許文献１】特許第４５６７０９２号公報
【発明の概要】
【発明が解決しようとする課題】
【０００５】
このような面発光装置には通常、単色発光のものと多色（或いはフルカラー）発光のものがある。単色発光の発光装置は単色発光の輝度をパネル単位で調整するだけであり、色調整ができないので複雑な表現ができないという欠点がある。一方、多色発光の面発光装置はＲＧＢ（赤緑青）毎の有機ＥＬ素子を別々に駆動する駆動回路が必要となるという欠点がある。また、複雑な表現のために複数のＲＧＢ有機ＥＬ素子を用いたパネルでは駆動制御系が複雑になると共にコスト高になるという欠点がある。【０００６】
そこで、本発明が解決しようとする課題は、上記の欠点が一例として挙げられ、従来の多色発光の面発光装置に比べて簡単な構成の駆動制御系を備えて多色パターン発光を可能にすると同時に、単色発光時において複数種類のパネル間の輝度、色度調整にも予め取得したデータで均一発光を可能にする面発光装置を提供することが本発明の目的である。
【課題を解決するための手段】
【０００７】
請求項１に係る発明の面発光装置は、単色エリアと前記単色エリアと並んで配置された多色エリアとからなる発光面を含み、前記単色エリアは複数の単色発光パネルによって形成され、前記多色エリアは複数の多色発光パネルによって形成されており、カラー発色の実現と、白など単色発色時は、予めメモリに蓄えられた単色パネルと多色パネルの相関データを用いて、多色パネルの個々の発光量を制御し、単色パネルと多色パネルの輝度、色度などの発光状態を均等にできることを特徴としている。
【図面の簡単な説明】
【０００８】
【図１】本発明の実施例の面発光装置中の有機ＥＬパネルブロックの発光面を示す正面図である。
【図２】図１の有機ＥＬパネルブロックの白発光パネルの断面図である。
【図３】図１の有機ＥＬパネルブロックのフルカラー発光パネルの断面図である。
【図４】図１の有機ＥＬパネルブロックを駆動する駆動制御系を示すブロック図である。
【図５】図４の駆動制御系の操作部を示す正面図である。
【図６】駆動時の白発光パネルの白発光の輝度レベル及びフルカラー発光パネルのＲＧＢ各々の輝度レベルを面積比で示す図である。
【図７】図１の面発光装置の使用形態を示す図である。
【図８】図１の面発光装置の使用形態を示す図である。
【図９】図１の面発光装置の非停電モードでの避難方向指示例を示す図である。
【図１０】図１の面発光装置の停電モードでの避難方向指示例を示す図である。
【図１１】本発明の他の実施例の面発光装置中の有機ＥＬパネルブロックの発光面を示す正面図である。
【図１２】本発明の他の実施例の面発光装置中の有機ＥＬパネルブロックの発光面を示す正面図である。
【図１３】本発明の他の実施例の面発光装置中の有機ＥＬパネルブロックの発光面を示す正面図である。
【図１４】本発明の他の実施例の面発光装置中の有機ＥＬパネルブロックの発光面を示す正面図である。
【実施例】
【０００９】
以下、本発明の実施例を、図面を参照しつつ詳細に説明する。【００１０】
図１に示された実施例の面発光装置は、複数の白発光パネル１１と複数のフルカラー発光パネル１２とからなる有機ＥＬパネルブロック１３を有している。複数の白発光パネル１１は面発光装置の発光面の白色エリア（単色エリア）を形成し、複数のフルカラー発光パネル１２は発光面の白色エリアと並んで配置された多色エリアを形成している。白発光パネル１１及びフルカラー発光パネル１２各々はタイル状の単位パネルであり、例えば、１５ｃｍ×１５ｃｍの正方形の大きさのものである。白発光パネル１１は周囲の４辺で４つのフルカラー発光パネル１２と隣接し、フルカラー発光パネル１２は周囲の４辺で４つの白発光パネル１１と隣接する。このような白発光パネル１１及びフルカラー発光パネル１２の配置は発光面において所定のパターンとしての市松模様（チェック柄）を示している。なお、白発光パネル１１及びフルカラー発光パネル１２各々は正方形に限らず、長方形等の矩形であれば良い。【００１１】
白発光パネル１１においては図２に示すように、ガラス基板１０上に透明電極２１が陽極として形成されている。透明電極２１は例えば、スパッタ法により形成され、ＩＴＯ膜からなる。透明電極２１上には長手形状の複数のバンク２２が等間隔で並置されている。バンク２２は有機絶縁材料からなる。スピンコート法又は印刷法で透明電極２１上に有機絶縁材料を塗布し、乾燥後、フォトリソグラフィ技術によりパターニングを行うことによりバンク２２が形成される。バンク２２は、その長手方向に垂直な方向の断面が台形状であり透明電極２１上において順テーパの側面を有している。【００１２】
隣接するバンク２２間に上記した発光領域が位置している。各発光領域には有機発光構造層として、ホール注入層２３、発光層２４、及び電子注入層２５がその順に形成されている。ホール注入層２３、発光層２４、及び電子注入層２５各々は、その材料を含むインクをインクジェット法等の塗布法を用いて塗布し、塗布後に乾燥処理することにより形成されている。発光層２４については隣接する発光領域で異なる色の発光層が配置されており、赤発光層２４（Ｒ）、緑発光層２４（Ｇ）及び青発光層２４（Ｂ）の順にバンク２２の並置方向に向けて繰り返されている。なお、有機発光構造層は上記した構成に限定されず、ホール注入層２３と発光層２４との間にホール輸送層が形成され、発光層２４と電子注入層２５との間に電子輸送層が形成された構成でも良い。【００１３】
電子注入層２５上には例えば、真空蒸着法にてＡｌ膜が例えば、真空蒸着形成され、これにより金属電極２６が形成されている。金属電極２６は陰極として作用する。金属電極２６は全ての発光領域に亘って設けられている。また、金属電極２６上は図示していないが、樹脂等の封止部材によって封止されている。【００１４】
ＲＧＢのストライプ構成で白を構築したが、タンデム構造や積層構造で、白発光を行っても良い。【００１５】
フルカラー発光パネル１２においては図３に示すように、金属電極２６がフォトリソグラフィ技術によりパターニングを行うことによりＲＧＢ毎に２６（Ｒ）、２６（Ｇ）及び２６（Ｂ）として設けられていることを除き、白発光パネル１１と同一の構造を有している。なお、ここでいうＲＧＢとは赤発光素子１２Ｒ、緑発光素子１２Ｇ、青発光素子１２Ｂに相当する。すなわち、赤発光素子１２Ｒは透明電極２１、ホール注入層２３、赤発光層２４（Ｒ）、電子注入層２５及び金属電極２６（Ｒ）からなる部分であり、緑発光素子１２Ｇは透明電極２１、ホール注入層２３、緑発光層２４（Ｇ）、電子注入層２５及び金属電極２６（Ｇ）からなる部分であり、青発光素子１２Ｇは透明電極２１、ホール注入層２３、青発光層２４（Ｂ）、電子注入層２５及び金属電極２６（Ｂ）からなる部分である。【００１６】
白発光パネル１１及びフルカラー発光パネル１２各々の発光層２４が発光すると、その光はホール注入層２３、透明電極２１、そしてガラス基板１０を介して外部に出射される。また、発光層２４で生成した光は電子注入層２５を介して金属電極２６で反射し、その反射光が電子注入層２５、発光層２４、ホール注入層２３、透明電極２１、そしてガラス基板１０を介して外部に出射される。【００１７】
かかる有機ＥＬパネルブロック１３の白発光パネル１１及びフルカラー発光パネル１２を駆動する駆動制御系４０は図４に示すように構成されている。この駆動制御系４０では、交流電源３９の出力電圧が電源スイッチ４１を介してＡＣ−ＤＣコンバータ４２に印加される。ＡＣ−ＤＣコンバータ４２は電源スイッチ４１のオン時に交流電源３９の出力電圧を直流電圧に変換する。交流電源３９は例えば、商用電源である。ＡＣ−ＤＣコンバータ４２の出力には白発光パネル１１用の駆動回路４３（第１駆動回路）とフルカラー発光パネル１２用の駆動回路４４Ｒ，４４Ｇ，４４Ｂ（第２駆動回路）とが接続されている。駆動回路４３は白発光パネル１１毎に設けられ、３つの駆動回路４４Ｒ，４４Ｇ，４４Ｂはフルカラー発光パネル１２毎に設けられている。【００１８】
駆動回路４３，４４Ｒ，４４Ｇ，４４Ｂ各々は、図示しないパワートランジスタを有し、ＡＣ−ＤＣコンバータ４２の出力電圧を用いて発光パネル１１，１２各々の陽極２１と陰極２６との間に駆動電流を供給する。具体的には、白発光パネル１１用の駆動回路４３では、白発光パネル１１の発光領域共通の陽極２１にはＡＣ−ＤＣコンバータ４２の出力電圧が印加され、発光領域共通の陰極２６にはパワートランジスタが接続されており、駆動電流は全てのＲＧＢの発光領域共通で制御可能にして供給される。また、駆動回路４３は複数の白発光パネル１１を個別に駆動できるように複数の白発光パネル１１各々に対応して存在するが、１つの駆動回路４３で全ての白発光パネル１１を駆動する構成であっても良い。【００１９】
一方、フルカラー発光パネル１２用の駆動回路４４Ｒ，４４Ｇ，４４Ｂは、フルカラー発光パネル１２の発光領域共通の陽極２１にはＡＣ−ＤＣコンバータ４２の出力電圧が印加され、陰極２６（Ｒ）、２６（Ｇ）及び２６（Ｂ）は対応する駆動回路４４Ｒ，４４Ｇ，４４Ｂのパワートランジスタに接続されており、駆動電流はＲＧＢ毎に制御可能にして供給される。フルカラー発光パネル１２のＲＧＢとは赤発光素子１２Ｒ、緑発光素子１２Ｇ、青発光素子１２Ｂに相当する。また、駆動回路４４Ｒ，４４Ｇ，４４Ｂは複数のフルカラー発光パネル１２各々を個別に駆動できるように複数のフルカラー発光パネル１２の数だけ備えられている。【００２０】
駆動制御系４０は更に、メモリ４５、制御回路４６、及び操作部４７を有している。メモリ４５には発光パネル１１，１２からなる有機ＥＬパネルブロック１３の発光パターンについての制御データが予め記憶されている。制御データは白発光パネル１１の駆動電流値及びフルカラー発光パネル１２のＲＧＢ毎の駆動電流値を表す。制御回路４６はメモリ４５に記憶された制御データに基づいて、或いは操作部４７の操作状態に応じて駆動回路４３，４４各々の駆動動作を制御することが可能である。操作部４７はユーザの操作を受け入れ、有機ＥＬパネルブロック１３の発光パターンを指定することができる。【００２１】
なお、駆動制御系４０のメモリ４５、制御回路４６、及び操作部４７各々の電源は図示していないが、ＡＣ−ＤＣコンバータ４２の出力から得ている。また、駆動制御系４０は交流電源３９の停電時のために蓄電池４８、スイッチ４９、及び停電検出回路５０を備えている。停電検出回路５０はＡＣ−ＤＣコンバータ４２の入力電圧（又は出力電圧）の有無に応じて停電時を検出する。スイッチ４９は停電検出回路５０による停電時の検出に応じてオンとなって蓄電池４８の正電圧をＡＣ−ＤＣコンバータ４２の出力ラインに印加する電源切替回路である。また、停電検出回路５０は停電時に停電発生情報を制御回路４６に通知する。制御回路４６は停電発生情報に応じて非停電モードから停電モードに動作モード切替を行う。【００２２】
なお、蓄電池４８が充電可能であるならば、非停電時にＡＣ−ＤＣコンバータ４２の出力電圧で蓄電池４８を充電するようにしても良い。更に、制御回路４６及び停電検出回路５０は常時、蓄電池４８を電源として動作するようにしても良い。【００２３】
制御回路４６は駆動回路４３，４４各々に駆動を指令すると、駆動回路４３は白発光パネル１１の陽極２１と陰極２６との間に駆動電流を供給し、駆動回路４４はフルカラー発光パネル１２の陽極２１と陰極２６との間に駆動電流を供給する。駆動制御系の駆動動作によって白発光パネル１１ではＲＧＢの発光層２４（Ｒ），２４（Ｇ），２４（Ｂ）が同一レベルで発光して白色光が得られる。一方、フルカラー発光パネル１２ではＲＧＢの発光層２４（Ｒ），２４（Ｇ），２４（Ｂ）が駆動電流値に対応した個別のレベルで発光しそれらが混ざり合って発光色が得られる。【００２４】
白色発光パネル１１とフルカラー発光パネル１２の相関は出荷時に取られ、メモリに補正データが記憶されており、白色発光時に、白色発光パネル１１とフルカラーパネル１２との間のむらは生じない。【００２５】
操作部４７には、例えば、図５に示すように、上記の電源スイッチ４１をオン／オフせしめる電源ボタン５１の他に、白、Ｒ（赤）、Ｇ（緑）、Ｂ（青）各々のつまみ（調整レバー）５２〜５５が設けられ、それらをユーザが操作できるようにされても良い。各つまみ５２〜５５を最大にすると制御回路４６は駆動回路４３，４４各々に最大駆動を指令する。駆動回路４３は白発光パネル１１の陽極２１と陰極２６との間に駆動電流を供給し、駆動回路４４はフルカラー発光パネル１２の陽極２１と陰極２６との間に駆動電流を供給する。最大駆動の指令時には駆動回路４３，４４各々からの駆動電流が最大値となる。【００２６】
図６(a)は最大駆動指令時の白発光パネル１１の白発光の輝度レベル及びフルカラー発光パネル１２のＲＧＢ各々の輝度レベルを面積比で示している。フルカラー発光パネル１２のＲＧＢ各々の最大輝度レベルを各１とすると、それらの混合により得られる白色の輝度レベルが３となり、また、白発光パネル１１の最大輝度レベルは３である。よって、最大駆動の指令時には白色発光でその輝度レベルは６となる。【００２７】
本実施例の面発光装置を照明装置として使用する場合には、通常は前記出荷時のパラメータで発光されるが、ユーザの好みによってフルカラー発光パネル１２のＲＧＢ各々の輝度レベルが同一レベルとして白発光が得られるように操作部４７のつまみ５２〜５４を操作することもできる。また、同時につまみ５５を操作して白発光の全体的な輝度レベルを調整することができる。【００２８】
図６(b)はつまみ５３〜５５を操作して赤強調の発光を中輝度レベルで得る場合の白発光パネル１１の白発光の輝度レベル及びフルカラー発光パネル１２のＲＧＢ各々の輝度レベルを面積比で示している。また、図６(c)は更につまみ５３〜５５を操作して赤一色の発光を低輝度レベルで得る場合の白発光パネル１１の白発光の輝度レベル（０）及びフルカラー発光パネル１２のＲＧＢ各々の輝度レベル（Ｒは１、Ｇは０、Ｂは０）を面積比で示している。これらの操作による照明は白色照明に対して着色効果が必要なときに有効である。白発光パネル１１の白発光の輝度レベルを先ずつまみ５５の操作により調整した後、つまみ５２〜５４を操作して着色を微調整することができる。【００２９】
かかる実施例の面発光装置１を図７及び図８に示すように、ホテル等の建物の廊下４の照明用として天井５に取り付けて使用する場合には、非常時の避難誘導灯として利用することができる。制御回路４６に火災発生情報が外部から信号として又は操作部４７の図示しない火災ボタンの操作によって入力されると、制御回路４６はメモリ４５から非停電モードの火災に対応した制御データを読み出し、読み出した制御データに基づいて駆動回路４３，４４各々の駆動動作を制御する。この非停電モードにおける制御に応じた駆動回路４３，４４の駆動によって有機ＥＬパネルブロック１３には例えば、火災時の避難方向指示（有意の２次元指示）では図７に示すように表示することができる。図９では矢印部分は赤色で点灯表示され、その他の部分は白色で表示されている。避難方向指示の矢印部分はフルカラー発光パネル１２が用いられ、矢印部分以外の部分に対応する白発光パネル１１及びフルカラー発光パネル１２は白発光にされる。また、制御データによって避難方向指示の矢印の向きは任意に設定することができる。【００３０】
また、このような非常時に自動切替回路４９から上記した停電発生情報が供給されると、制御回路４６は停電モードとなりメモリ４５から停電モードの火災に対応した制御データを読み出し、読み出した制御データに基づいて駆動回路４３，４４各々の駆動動作を制御する。この停電モードにおける制御に応じた駆動回路４３，４４の駆動によって有機ＥＬパネルブロック１３には例えば、停電モードの火災時の避難方向指示では図１０に示すように表示することができる。図１０では矢印部分は赤色で表示され、その他の部分は暗色で表示されるか消灯されている。すなわち、有意の２次元表示の矢印部分以外の輝度が低下される。【００３１】
非常時には火災以外に、異臭、地震、その他各々の事態で避難誘導灯としての色を変えても良い。例えば、異臭の場合に、非停電モードでは矢印部分が橙色で点灯表示され、その他の部分は白色で表示され、停電モードでは矢印部分が橙色で表示され、その他の部分は消灯される。地震の場合に、非停電モードでは矢印部分が赤色で表示され、その他の部分は白色で表示され、停電モードでは矢印部分が赤色で点滅表示され、その他の部分は消灯される。その他の場合に、非停電モードでは矢印部分が青色で点灯表示され、その他の部分は白色で表示され、停電モードでは矢印部分が青色で点灯表示され、その他の部分は消灯される。停電モードでは有機ＥＬパネルブロック１３のうちの発光させる発光パネルを避難誘導灯の表示に必要な部分に制限して消費電力を低下させることが行われる。【００３２】
実施例の面発光装置においては、単色発光パネルである白発光パネル１１と多色発光パネルであるフルカラー発光パネル１２とを含む発光面が形成されている。よって、全面が赤発光等の極めて特殊な一色全面発光が排除されるが、普通の使用ではほとんどない発光状態であるので、全てフルカラー発光パネルを用いた面発光装置と比較しても実際には何ら問題なく照明に限らず避難方向指示等の複雑な表現を形成することができる。また、フルカラー発光パネル１２はＲＧＢ毎に駆動する必要があるが、白発光パネル１１は白発光パネル１１単位で、又は全ての白発光パネル１１を共通に駆動すれば良いので、白発光パネル１１用の駆動回路４３は、フルカラー発光パネル１２用の駆動回路４４より簡単な構成で済み、全てフルカラー発光パネルを用いた面発光装置に比べて実施例の面発光装置ではコストの削減を図ることができる。【００３３】
また、実施例のように、単色発光パネル及び多色発光パネルとして有機ＥＬ素子等のＯＬＥＤを用いる場合には広いスペクトラムを有する発光が可能とり、特にＲＧＢの組み合わせにより微妙な色合いの色でマルチカラーを作成することができる。【００３４】
なお、上記した実施例の面発光装置では、複数の白発光パネル１１と複数のフルカラー発光パネル１２とが共通のガラス基板１０上に形成されているが、白発光パネル１１とフルカラー発光パネル１２とは個々の基板上に形成されても良い。【００３５】
図１１ないし図１４は本発明の他の実施例として面発光装置の発光面を示している。図１１の面発光装置の有機ＥＬパネル１６では、所定のパターンとしてストライプパターンが形成されている。白色エリアを形成する白発光パネル１１と、多色エリアを形成するフルカラー発光パネル１２とが一方向（横方向）に交互に配置され、一方向に垂直な方向（縦方向）には同一の複数の発光パネル（白発光パネル１１、フルカラー発光パネル１２）が連続的に配置されている。【００３６】
図１２の面発光装置の有機ＥＬパネル１７では、多色エリアを形成する複数のフルカラー発光パネル１２が３×１６個の長方形状の一群となって発光面中央に配置され、白色エリアを形成する複数の白発光パネル１１が複数のフルカラー発光パネル１２を取り囲んで配置されている。【００３７】
図１３の面発光装置の有機ＥＬパネル１８では、白色エリアを形成するパネルとして長手の白発光パネル６１が用いられている。その白発光パネル６１の長手方向の長さと同一の長さになるようにフルカラー発光パネル１２が７つ並べられ、更に、白発光パネル６１と７つのフルカラー発光パネル１２がその長手方向とは垂直な方向に交互に配置され、結果として図１１の面発光装置と同様の発光面が形成されている。【００３８】
図１４の面発光装置の有機ＥＬパネル１９では、単色発光パネルとして、上記した白発光パネル１１の４倍の大きさを有する白発光パネル６３が用いられ、図１２の面発光装置と同様の発光面が形成されている。【００３９】
図１１ないし図１４の有機ＥＬパネルを有する面発光装置においても図１の面発光装置と同様に比較的簡単な構成の駆動制御系で複雑な表現が可能となる。【００４０】
上記した各実施例では、発光パネル１１，１２，６１，６３の各発光領域に有機ＥＬ素子を用いた面発光装置が示されているが、本発明は単色発光パネル及び多色発光パネルの各発光領域に有機ＥＬ素子以外のＬＥＤ（発光ダイオード）等の発光素子を用いた面発光装置であっても良い。また、発光素子上に光拡散層を設けても良い。【００４１】
また、上記した実施例においては、白色発光パネル１１及びフルカラー発光パネル１２の各発光領域は等間隔で並置されているが、本発明はこれに限定されず、例えば、間隔が疎な部分と密な部分とが組み合わさっても良い。更に、発光領域は直線的に限らず曲がっていても良い。【００４２】
上記した実施例では、フルカラー発光パネルを有する面発光装置が示されているが、本発明は多色発光パネルとしてはフルカラー発光パネルに限らず複数のカラー発光が可能であれば良い。また、単色発光パネルとしては白発光パネルに限定されず、白色以外の昼光色、昼白色、温白色、電球色等の単色を発光する発光パネルであっても良い。【００４３】
また、上記した実施例においては、発光パネルとして図２及び図３に示したようにガラス基板１０等のボトム側基板から光を放出するボトムエミッションタイプの有機ＥＬパネルを示したが、本発明は封止部材側から光を放出するトップエミッションタイプの有機ＥＬパネルを用いても良い。【００４４】
本発明の面発光装置は有機ＥＬ照明装置、情報表示機能付き照明装置、誘導補助装置、イルミネーション装置、メッセージボードに利用することができる。
【符号の説明】
【００４５】
１０  ガラス基板
１３，１６〜１９  有機ＥＬパネルブロック
１１，６１，６３  白発光パネル
１２，６２  フルカラー発光パネル
２１  透明電極
２２  バンク
２３  ホール注入層
２４（Ｒ），２４（Ｇ），２４（Ｂ）  発光層
２５  電子注入層
２６，２６（Ｒ），２６（Ｇ），２６（Ｂ）  金属電極
４０  駆動制御系
【図１】
2014013586.tif 000003
【図２】
2014013586.tif 000004
【図３】
2014013586.tif 000005
【図４】
2014013586.tif 000006
【図５】
2014013586.tif 000007
【図６】
2014013586.tif 000008
【図７】
2014013586.tif 000009
【図８】
2014013586.tif 000010
【図９】
2014013586.tif 000011
【図１０】
2014013586.tif 000012
【図１１】
2014013586.tif 000013
【図１２】
2014013586.tif 000014
【図１３】
2014013586.tif 000015
【図１４】
2014013586.tif 000016
【手続補正書】
【提出日】平成27年1月16日(2015.1.16)
【手続補正１】
【補正対象書類名】特許請求の範囲
【補正対象項目名】全文
【補正方法】変更
【補正の内容】
【特許請求の範囲】
【請求項１】
単色エリアと前記単色エリアと並んで配置された多色エリアとからなる発光面を含み、前記単色エリアは複数の単色発光パネルによって形成され、前記多色エリアは複数の多色発光パネルによって形成されていることを特徴とする面発光装置。
【請求項２】
前記多色エリアは所定のパターンを示していることを特徴とする請求項１記載の面発光装置。
【請求項３】
前記所定のパターンは市松模様のパターンであることを特徴とする請求項２記載の面発光装置。
【請求項４】
前記所定のパターンはストライプパターンであることを特徴とする請求項２記載の面発光装置。
【請求項５】
前記所定のパターンは前記発光面中央に位置した長方形状のパターンであることを特徴とする請求項２記載の面発光装置。
【請求項６】
前記単色発光パネル及び前記多色発光パネルは同一形状であることを特徴とする請求項３〜５のいずれか１記載の面発光装置。
【請求項７】
前記単色発光パネル及び前記多色発光パネルは矩形状であることを特徴とする請求項６記載の面発光装置。
【請求項８】
前記単色発光パネルは前記多色発光パネルの整数倍の大きさのパネルを含むことを特徴とする請求項４又は５記載の面発光装置。
【請求項９】
前記単色発光パネルを駆動する第１駆動回路と、前記多色発光パネルを駆動する第２駆動回路と、を含む駆動制御系を更に有することを特徴とする請求項２記載の面発光装置。
【請求項１０】
前記多色発光パネルはＲＧＢ（赤緑青）各々の発光素子を有し、
前記第２駆動回路は前記ＲＧＢ各々の発光素子を駆動する３つの駆動回路からなることを特徴とする請求項９記載の面発光装置。
【請求項１１】
前記駆動制御系は、前記第１駆動回路及び前記第２駆動回路の前記３つの駆動回路を制御データ又は入力操作に応じて個別に制御する制御回路を更に有することを特徴とする請求項１０記載の面発光装置。
【請求項１２】
前記制御回路は、前記制御データに応じて前記第１駆動回路及び前記第２駆動回路の前記３つの駆動回路を介して前記発光面に有意の２次元指示を生じさせることを特徴とする請求項１１記載の面発光装置。
【請求項１３】
前記駆動制御系は、交流電源の出力電圧を直流電圧に変換して前記第１駆動回路及び前記第２駆動回路による前記単色発光パネル及び前記多色発光パネルの駆動電源とするコンバータと、
前記交流電源の停電を検出する停電検出回路と、
前記停電検出回路によって前記交流電源の停電が検出されたとき蓄電池を前記駆動電源とする電源切替回路と、を更に含むことを特徴とする請求項１２記載の面発光装置。
【請求項１４】
前記制御回路は前記停電検出回路によって前記交流電源の停電が検出されたとき前記第１駆動回路及び前記第２駆動回路の前記３つの駆動回路を制御して前記発光面の前記有意の２次元指示以外の輝度を低下させることを特徴とする請求項１３記載の面発光装置。
【請求項１５】
前記単色発光パネルの発光素子及び前記ＲＧＢ各々の発光素子は有機ＥＬ素子からなることを特徴とする請求項２〜１４のいずれか１記載の面発光装置。
【請求項１６】
前記単色エリアは白色エリアであり、前記単色発光パネルは白発光パネルであることを特徴とする請求項１５記載の面発光装置。
【請求項１７】
前記制御回路は、前記単色発光パネルと前記多色発光パネルとの間の単色発光時の相関を予め記憶したメモリからデータを入手し、単色発光時に両者の各種斑が生じないように制御することを特徴とする請求項１６記載の面発光装置。
【請求項１８】
単色エリアと前記単色エリアと並んで配置された多色エリアとからなる発光面を含み、前記単色エリアは複数の単色発光パネルによって形成され、前記多色エリアは
複数の多色発光パネルによって形成され、前記複数の多色発光パネルは点滅パターン表示するように構成されていることを特徴とする面発光装置。
【請求項１９】
前記発光面は曲面であることを特徴とする請求項１８に記載の面発光装置。
【請求項２０】
前記複数の単色発光パネルは前記複数の多色発光パネルの面積よりも大なる面積を有することを特徴とする請求項１８又は１９に記載の面発光装置。
【請求項２１】
少なくとも１つの単色発光パネルと、
少なくとも１つの多色発光パネルと、を有し、
前記少なくとも１つの多色発光パネルは、パターンとして色が変化するように構成されていることを特徴とする発光装置。
【請求項２２】
前記少なくとも１つの多色発光パネルは、前記少なくとも１つの単色発光パネルに隣接して配されていることを特徴とする請求項２１に記載の発光装置。
【請求項２３】
前記パターンの色の前記変化は、前記パターンにおける前記少なくとも１つの多色発光パネルの１色を点灯又は消灯することを含むことを特徴とする請求項２１又は２２に記載の発光装置。
【請求項２４】
前記少なくとも１つの単色発光パネルは、単色エリアを形成するように構成された複数の単色発光パネルからなり、前記少なくとも１つの多色発光パネルは、多色エリアを形成するように構成された複数の多色発光パネルからなることを特徴とする請求項２１ないし２３のいずれか１項に記載の発光装置。
【請求項２５】
前記多色エリアは前記単色エリアに隣接していることを特徴とする請求項２４に記載の発光装置。
【請求項２６】
前記複数の多色発光パネルの各々はパターンとして色が変化するように構成されていることを特徴とする請求項２４又は２５に記載の発光装置。
【請求項２７】
前記パターンの色の前記変化は、前記複数の多色発光パネルの各色の発光パネルをパターン状に点灯又は消灯することを含むことを特徴とする請求項２６に記載の発光装置。
【請求項２８】
前記複数の多色発光パネルの何れか１のパターンは、前記複数の多色発光パネルの他のパターンとは異なることを特徴とする請求項２６又は２７に記載の発光装置。
【手続補正書】
【提出日】平成28年3月9日(2016.3.9)
【手続補正１】
【補正対象書類名】特許請求の範囲
【補正対象項目名】全文
【補正方法】変更
【補正の内容】
【特許請求の範囲】
【請求項１】
複数の単色発光パネルによって形成された単色エリア及び前記単色エリアと並んで配置された複数の多色発光パネルによって形成された多色エリアからなる発光面と、
前記単色発光パネル毎に設けられ、前記単色発光パネルを駆動する第１駆動回路及び前記多色発光パネルを構成する各色の発光素子毎に設けられ、前記多色発光パネルを駆動する第２駆動回路を含む駆動制御系と、を有することを特徴とする面発光装置。
【請求項２】
前記駆動制御系は、メモリに記憶された制御データに基づいて、前記単色発光パネル及び前記多色発光パネルを駆動することを特徴とする請求項１に記載の面発光装置。
【請求項３】
前記制御データは、前記単色発光パネルの駆動電流値データ及び前記多色発光パネルを構成する前記各色の発光素子毎の駆動電流値データであることを特徴とする請求項２に記載の面発光装置。
【請求項４】
前記多色エリアは所定のパターンを示していることを特徴とする請求項１〜３のいずれか１記載の面発光装置。
【請求項５】
前記所定のパターンは市松模様のパターンであることを特徴とする請求項４記載の面発光装置。
【請求項６】
前記所定のパターンはストライプパターンであることを特徴とする請求項４記載の面発光装置。
【請求項７】
前記所定のパターンは前記発光面中央に位置した長方形状のパターンであることを特徴とする請求項４記載の面発光装置。
【請求項８】
前記単色発光パネル及び前記多色発光パネルは同一形状であることを特徴とする請求項５〜７のいずれか１記載の面発光装置。
【請求項９】
前記単色発光パネル及び前記多色発光パネルは矩形状であることを特徴とする請求項８記載の面発光装置。
【請求項１０】
前記単色発光パネルは前記多色発光パネルの整数倍の大きさのパネルを含むことを特徴とする請求項６又は７記載の面発光装置。
【請求項１１】
前記多色発光パネルはＲＧＢ（赤緑青）各々の発光素子を有し、
前記第２駆動回路は前記ＲＧＢ各々の発光素子を駆動する３つの駆動回路からなることを特徴とする請求項１〜１０のいずれか１記載の面発光装置。
【請求項１２】
前記駆動制御系は、前記第１駆動回路及び前記第２駆動回路の前記３つの駆動回路を制御データ又は入力操作に応じて個別に制御する制御回路を更に有することを特徴とする請求項１１記載の面発光装置。
【請求項１３】
前記制御回路は、前記制御データに応じて前記第１駆動回路及び前記第２駆動回路の前記３つの駆動回路を介して前記発光面に有意の２次元指示を生じさせることを特徴とする請求項１２記載の面発光装置。
【請求項１４】
前記駆動制御系は、交流電源の出力電圧を直流電圧に変換して前記第１駆動回路及び前記第２駆動回路による前記単色発光パネル及び前記多色発光パネルの駆動電源とするコンバータと、
前記交流電源の停電を検出する停電検出回路と、
前記停電検出回路によって前記交流電源の停電が検出されたとき蓄電池を前記駆動電源とする電源切替回路と、を更に含むことを特徴とする請求項１３記載の面発光装置。
【請求項１５】
前記制御回路は前記停電検出回路によって前記交流電源の停電が検出されたとき前記第１駆動回路及び前記第２駆動回路の前記３つの駆動回路を制御して前記発光面の前記有意の２次元指示以外の輝度を低下させることを特徴とする請求項１４記載の面発光装置。
【請求項１６】
前記単色発光パネルの発光素子及び前記ＲＧＢ各々の発光素子は有機ＥＬ素子からなることを特徴とする請求項１１〜１５のいずれか１記載の面発光装置。
【請求項１７】
前記単色エリアは白色エリアであり、前記単色発光パネルは白発光パネルであることを特徴とする請求項１６記載の面発光装置。
【請求項１８】
前記制御回路は、前記単色発光パネルと前記多色発光パネルとの間の単色発光時の相関を予め記憶したメモリからデータを入手し、単色発光時に両者の各種斑が生じないように制御することを特徴とする請求項１７記載の面発光装置。
【請求項１９】
複数の単色発光パネルによって形成された単色エリア及び前記単色エリアと並んで配置された複数の多色発光パネルによって形成された多色エリアからなる発光面と、
前記単色発光パネル毎に設けられ、前記単色発光パネルを駆動する第１駆動回路及び前記多色発光パネルを構成する各色の発光素子毎に設けられ、前記多色発光パネルを駆動する第２駆動回路を含む駆動制御系と、を有し、前記第２駆動回路は、前記複数の多色発光パネルを点滅パターン表示するように構成されていることを特徴とする面発光装置。
【請求項２０】
前記発光面は曲面であることを特徴とする請求項１９に記載の面発光装置。
【請求項２１】
前記複数の単色発光パネルは前記複数の多色発光パネルの面積よりも大なる面積を有することを特徴とする請求項１９又は２０に記載の面発光装置。
【国際調査報告】
2014013586.tif 000017
2014013586.tif 000018
2014013586.tif 000019
2014013586.tif 000020